(57)【要約】【課題】本発明は建設分野に関し、特に、構造物を構成する部品部材にプレテンドン方式によるプレストレッシングを印加するためのシステムに関する。【解決手段】本発明は部品部材に、横方向に作用する応力に抵抗するための少なくとも一つの横方向緊張材及び縦方向応力に抵抗するための少なくとも一つの縦方向緊張材を設け、上記縦方向緊張材中の少なくとも一つは折り曲げられた構造を有する双方向のプレストレッシングシステム及びその緊張材折曲部形成装置を提供する。【選択図】図１
2008303702.tif 000002
【特許請求の範囲】
【請求項１】
構造物を構成する部品部材に、プレテンドン方式によるプレストレッシングを印加するためのシステムにおいて、
上記部品部材の形成のために、コンクリート打設空間が形成された型枠と、
上記型枠の外側に設けられた支持台と、
上記型枠の内部に、横方向に横切って設けられる少なくとも一つの横方向緊張材と、
上記横方向緊張材を上記型枠に定着するように、上記支持台に設けられた横方向緊張材の定着装置と、
上記型枠の内部に、縦方向に横切って設けられる少なくとも一つの縦方向緊張材と、
上記縦方向緊張材を上記型枠に定着するように、上記支持台に設けられた縦方向緊張材の定着装置と、
上記部品部材の深部で上記縦方向緊張材の少なくともいずれか一つは折り曲げられるように上記支持台に設けられ、上記縦方向緊張材の少なくともいずれか一つと組み合わせられた緊張材の折曲部形成装置と、を含む双方向のプレストレッシングシステム。
【請求項２】
上記縦方向緊張材は直線形で設けられる直線形の縦方向緊張材と、
上記緊張材の折曲部形成装置によって折り曲げられる折曲形の縦方向緊張材と、で構成される請求項１に記載の双方向のプレストレッシングシステム。
【請求項３】
上記横方向緊張材は上記部品部材の上側に設けられ、
上記直線形の縦方向緊張材は上記部品部材の下側に設けられる請求項２に記載の双方向のプレストレッシングシステム。
【請求項４】
上記折曲形の縦方向緊張材の中央部は、上記部品部材の下側に配置され、
上記折曲形の縦方向緊張材の両端部は、それぞれ、上記部品部材の縦方向両端部に向かって上向き傾斜するように設けられた請求項３に記載の双方向のプレストレッシングシステム。
【請求項５】
上記緊張材の折曲部形成装置は、上記型枠の底面に形成された貫通孔を貫通して設けられた請求項１に記載の双方向のプレストレッシングシステム。
【請求項６】
上記支持台と上記型枠と間には上記型枠の組立または解体作業のための作業空間部が設けられた請求項１に記載の双方向のプレストレッシングシステム。
【請求項７】
請求項１〜６のいずれか１項に記載の双方向のプレストレッシングシステムの上記緊張材の折曲部形成装置であって、
上記支持台に設けられたベース部と、
上記支持台と型枠と間に配置するように上記ベース部に設けられた本体部と、
上記本体部に設けられ、上記縦方向緊張材が折り曲げられるように上記型枠を貫通して上記縦方向緊張材を支持する緊張材支持部と、を含む緊張材の折曲部形成装置。
【請求項８】
上記緊張材支持部は、上記コンクリート打設及び養生後、上記本体部から離脱可能である請求項７に記載の緊張材の折曲部形成装置。
【請求項９】
上記緊張材支持部が上記本体部に対して、縦方向回転駆動できるように、上記本体部と上記緊張材支持部は縦方向回転用ヒンジ部によって結合された請求項７に記載の緊張材の折曲部形成装置。
【請求項１０】
上記緊張材支持部が上記本体部に対して、横方向回転駆動できるように、上記本体部と上記緊張材支持部は横方向回転用ヒンジ部によって結合された請求項７に記載の緊張材の折曲部形成装置。
【請求項１１】
上記本体部が上記ベース部に対して、横方向回転駆動できるように、上記本体部と上記ベース部が本体部回転用ヒンジ部によって結合された請求項７に記載の緊張材の折曲部形成装置。
【請求項１２】
上記本体部の横方向回転駆動を制限できるように、上記本体部と上記支持台と間に設けられた着脱式補助支持部材を、さらに含む請求項１１に記載の緊張材の折曲部形成装置。
【請求項１３】
上記緊張材支持部には、上記縦方向緊張材が貫通するように緊張材貫通孔が形成された請求項７に記載の緊張材の折曲部形成装置。
【請求項１４】
上記緊張材貫通孔は、上記緊張材貫通孔と接触する部分が、その反対部分に向かって湾曲した構造を有する請求項１３に記載の緊張材の折曲部形成装置。
【請求項１５】
上記緊張材支持部は、
上記本体部と結合される複数の支持部材と、
上記複数の支持部材間に結合され、上記湾曲した構造の緊張材貫通孔を形成する湾曲した溝部形成部材と、を含む請求項１４に記載の緊張材の折曲部形成装置。
【請求項１６】
上記湾曲した溝部形成部材は、上記支持部材の長手方向に複数取り付けられたことを特徴とする請求項１５に記載の緊張材の折曲部形成装置。
【請求項１７】
上記支持部材は複数個が横方向に平行に取り付けられ、
上記湾曲した溝部形成部材は上記複数の支持部材間の複数の空間部にそれぞれ取り付けられた請求項１５に記載の緊張材の折曲部形成装置。
【請求項１８】
請求項１〜８のいずれか１項に記載の双方向のプレストレッシングシステムにおいて、
上記部品部材は橋梁に設けられる箱桁であう箱桁の双方向のプレストレッシングシステム。
【請求項１９】
上記縦方向緊張材は直線形で設けられる直線形の縦方向緊張材と、
上記緊張材の折曲部形成装置によって上記折曲部が形成される折曲形の縦方向緊張材と、で構成される請求項１８に記載の箱桁の双方向のプレストレッシングシステム。
【請求項２０】
上記横方向緊張材は上記箱桁の上板部に設けられ、
上記直線形の縦方向緊張材は上記箱桁の下板部に設けられ、
上記折曲形の縦方向緊張材は上記箱桁の側板部に設けられる請求項１９に記載の箱桁の双方向のプレストレッシングシステム。
【請求項２１】
上記折曲形の縦方向緊張材の中央部は上記箱桁側板部の下側に設けられ、
上記折曲形の縦方向緊張材の両端部はそれぞれ、上記箱桁側板部の縦方向両端部に向かって上向き傾斜するように設けられた請求項２０に記載の箱桁の双方向のプレストレッシングシステム。
【発明の詳細な説明】
【技術分野】
【０００１】
本発明は、建設分野に関し、特に、構造物を構成する部品部材にプレテンドン（pre-tendon）方式によるプレストレッシングを印加するためのシステムに関するものである。
【背景技術】
【０００２】
プレストレッシング（pre-stressing）とは、外力によって部材に生じる撓み応力、剪断応力などを相殺するために、予め緊張（tendon）材に引張力を付勢し、部品部材に定着することで、外力による撓み応力、剪断応力と反対方向の応力が部材内部に働くようにする方法をいう。
【０００３】
梁（beam）、桁など(girder)のように構造物を構成する部材に、プレストレッシング（pre-stressing）を印加する方式は、大きくプレテンドン（pre-tendon）方式とポストテンドン（post-tendon)方式に大別される。
【０００４】
前者（プレテンドン方式）は、予め型枠に緊張材を設けて緊張させた後、その型枠にコンクリートを打設し、コンクリートの硬化と共に部材と緊張材との定着が同時に行われるようにし、コンクリートの養生完了後、緊張材を切断する方式をいう。
【０００５】
これは、グラウトなど、その後の作業が要らないので、作業が便利であるという長所があるが、部材内部に緊張材を折り曲げて定着する作業が容易ではないという短所がある。
後者（ポストテンドン方式）は、型枠にシース（sheath）を所定形状で配置した後、コンクリートを打設し、コンクリートの養生後、シースに緊張材を挿入して緊張させると同時に、その緊張材の端部を部材の両端部に定着する方式をいう。
【０００６】
これは、シースの配置によって緊張材の折曲構造が容易に得られるという長所がある反面、シースと緊張材と間の空間に別途のグラウトを実施する作業など、事後作業が必要となり、多少作業が複雑であるという短所がある。
【０００７】
一方、従来のプレストレッシング作業は、部材の縦方向（長手方向）に対してのみ実施することが一般的であったが、これは部材の横方向（幅方向）断面に発生する応力の影響が縦方向のそれに比べ、小さい点、部材内部に縦横の双方向に緊張材を配置する作業が容易ではない点、などの理由によるものであった。
【０００８】
部材の長さに比べて幅の小さい梁の場合には、上記のように縦方向に対してのみプレストレッシングを行っても十分であった。
【０００９】
しかし、スラブ(slab)、箱桁など(box girder)のように部材の長さと幅の差が大きくない場合には、横方向断面の応力の影響も無視することができないので、縦方向だけでなく横方向に対しても、プレストレッシングを印加することが構造的安全性側面から好ましい。
【００１０】
従って、このように、縦方向及び横方向の双方向に対して、プレストレッシングを印加することができる方法に関する技術の開発が切実に求められている実状である。
【発明の開示】
【発明が解決しようとする課題】
【００１１】
本発明の目的は、上記のような問題点を解決するために、部品部材の縦方向だけでなく、横方向に発生する応力に対しても、效果的に抵抗できるようにする双方向のプレストレッシングシステムを提供することにある。
【課題を解決するための手段】
【００１２】
発明は上記のような本発明の目的を達成するためのものであり、本発明は、構造物を構成する部品部材に、プレテンドン方式によるプレストレッシングを印加するためのシステムにおいて、上記部品部材の形成のために、コンクリート打設空間が形成された型枠と、上記型枠の外側に設けられた支持台と、上記型枠の内部に、横方向に横切って設けられる少なくとも一つの横方向緊張材と、上記横方向緊張材を上記型枠に定着するように、上記支持台に設けられた横方向緊張材の定着装置と、上記型枠の内部に、縦方向に横切って設けられる少なくとも一つの縦方向緊張材と、上記縦方向緊張材を上記型枠に定着するように、上記支持台に設けられた縦方向緊張材の定着装置と、上記部品部材の深部で上記縦方向緊張材の少なくともいずれか一つは折り曲げられるように上記支持台に設けられ、上記縦方向緊張材の少なくともいずれか一つと組み合わせられた緊張材の折曲部形成装置と、を含む双方向のプレストレッシングシステムを提供する。
【００１３】
上記縦方向緊張材は直線形で設けられる直線形の縦方向緊張材と、上記緊張材の折曲部形成装置によって折り曲げられる折曲形の縦方向緊張材と、で構成されることが好ましい。
【００１４】
上記横方向緊張材は上記部品部材の上側に設けられ、上記直線形の縦方向緊張材は上記部品部材の下側に設けられることが好ましい。
【００１５】
上記折曲形の縦方向緊張材の中央部は、上記部品部材の下側に配置され、上記折曲形の縦方向緊張材の両端部は、それぞれ、上記部品部材の縦方向両端部に向かって上向き傾斜するように設けられたことが好ましい。
【００１６】
上記緊張材の折曲部形成装置は、上記型枠の底面に形成された貫通孔を貫通して設けられたことが好ましい。
【００１７】
上記支持台と上記型枠と間には上記型枠の組立または解体作業のための作業空間部が設けられたことが好ましい。
【００１８】
また、本発明は上記目的を達成するための別の手段として、すなわち、上記双方向のプレストレッシングシステムの上記緊張材の折曲部形成装置であって、上記支持台に設けられたベース部と、上記支持台と型枠と間に配置するように上記ベース部に設けられた本体部と、上記本体部に設けられ、上記縦方向緊張材が折り曲げられるように上記型枠を貫通して上記縦方向緊張材を支持する緊張材支持部と、を含む緊張材の折曲部形成装置を提供する。
【００１９】
上記緊張材支持部は、上記コンクリート打設及び養生後、上記本体部から離脱可能であることが好ましい。
【００２０】
上記緊張材支持部が上記本体部に対して、縦方向回転駆動できるように、上記本体部と上記緊張材支持部は縦方向回転用ヒンジ部によって結合されたことが好ましい。
【００２１】
上記緊張材支持部が上記本体部に対して、横方向回転駆動できるように、上記本体部と上記緊張材支持部は横方向回転用ヒンジ部によって結合されたことが好ましい。
【００２２】
上記本体部が上記ベース部に対して、横方向回転駆動できるように、上記本体部と上記ベース部が本体部回転用ヒンジ部によって結合されたことが好ましい。
【００２３】
上記本体部の横方向回転駆動を制限できるように、上記本体部と上記支持台と間に設けられた着脱式補助支持部材を、さらに含むことが好ましい。
【００２４】
上記緊張材支持部には、上記縦方向緊張材が貫通するように緊張材貫通孔が形成されたことが好ましい。
【００２５】
上記緊張材貫通孔は、上記緊張材貫通孔と接触する部分が、その反対部分に向かって湾曲した構造を有することが好ましい。
【００２６】
上記緊張材支持部は、上記本体部と結合される複数の支持部材と、上記複数の支持部材間に結合され、上記湾曲した構造の緊張材貫通孔を形成する湾曲した溝部形成部材と、を含むことが好ましい。
【００２７】
上記湾曲した溝部形成部材は、上記支持部材の長手方向に複数取り付けられたことが好ましい。
【００２８】
上記支持部材は複数個が横方向に平行に取り付けられ、上記湾曲した溝部形成部材は上記複数の支持部材間の複数の空間部にそれぞれ取り付けられたことが好ましい。
【００２９】
また、本発明は上記目的を達成するための別の手段として、すなわち、双方向のプレストレッシングシステムにおいて、上記部品部材は橋梁に設けられる箱桁であう箱桁の双方向のプレストレッシングシステムを提供する。
【００３０】
上記縦方向緊張材は直線形で設けられる直線形の縦方向緊張材と、上記緊張材の折曲部形成装置によって上記折曲部が形成される折曲形の縦方向緊張材と、で構成されることが好ましい。
【００３１】
上記横方向緊張材は上記箱桁の上板部に設けられ、上記直線形の縦方向緊張材は上記箱桁の下板部に設けられ、上記折曲形の縦方向緊張材は上記箱桁の側板部に設けられることが好ましい。
【００３２】
上記折曲形の縦方向緊張材の中央部は上記箱桁側板部の下側に設けられ、上記折曲形の縦方向緊張材の両端部はそれぞれ、上記箱桁側板部の縦方向両端部に向かって上向き傾斜するように設けられたことが好ましい。
【発明の効果】
【００３３】
上述するような本発明は、部品部材の縦方向だけでなく横方向に発生する応力に対しても效果的に抵抗することができる利点がある。
【発明を実施するための最良の形態】
【００３４】
以下、本発明に係る双方向のプレストレッシングシステムに関し、添付図面を参照して詳細に説明する。
【００３５】
図１、２に示されるように、本発明に係る双方向のプレストレッシングシステムは、構造物を構成する部品部材１０にプレテンドン方式によるプレストレッシングを印加するためのシステムであって、部品部材１０の形成のためのコンクリート打設空間１００ａが形成された型枠１００と、型枠１００の外側に設けられた支持台２００と、上記型枠１００の内部に横方向に横切って設けられる少なくとも一つの横方向緊張材２０と、上記横方向緊張材２０を上記型枠１００に定着するように上記支持台２００に設けられた横方向緊張材の定着装置３００と、上記型枠１００の内部に縦方向に横切って設けられる少なくとも一つの縦方向緊張材３０と、上記縦方向緊張材３０を上記型枠１００に定着するように上記支持台２００に設けられた縦方向緊張材の定着装置４００と、上記部品部材１０の深部から上記縦方向緊張材３０の少なくともいずれか一つに折曲部が形成されるように上記支持台２００に設けられ、上記縦方向緊張材３０の少なくともいずれか一つと組み合わせられたた緊張材の折曲部形成装置５００と、で構成される。
【００３６】
ここで、構造物を構成する部品部材１０とは、外力によって生じる撓み応力及び剪断応力に対抗するためにプレストレッシングを必要とする、全ての部材を通称するものであり、梁（beam）、スラブ（slab）などを皆含む概念である。
【００３７】
本発明によるシステムは、型枠に、双方向（横方向と縦方向）に、それぞれ横方向緊張材２０と縦方向緊張材３０を配置し、縦方向緊張材３０中の少なくとも一つには折曲部を形成することを最も大きな特徴とする。
【００３８】
本発明は、このような構造を有することで、次ぎのような効果を得ることができる。
第一に、横方向緊張材２０及び縦方向緊張材３０が共に設けられ、部品部材１０に双方向のプレストレッシングを印加するので、部品部材１０の双方向に作用する撓み応力、剪断応力に対して效果的に抵抗しうる。
【００３９】
これは、上述するように、部品部材１０の長さと幅の差が大きくないスラブ（slab）、箱桁（box girder）などに適用される場合、特に有利な効果が得られる。
【００４０】
第二に、緊張材の折曲部形成装置５００によって縦方向緊張材３０の配置構造を調節することができるので、横方向緊張材２０及び縦方向緊張材３０が共に設けられていても、相互の干渉を防止しうる。
【００４１】
第三に、縦方向緊張材３０の折曲部は外力によって生じる撓み応力に抵抗しているので、構造力学的に有利であり、上記横方向緊張材２０との干渉が避けられる。
【００４２】
第四に、ポストテンドン方式でないプレテンドン方式によって全てのプレストレッシング作業を行っているので、別途の定着装置、シースなどを必要としなく、全体的に費用の節減効果を得ることができる。
【００４３】
一方、上記縦方向緊張材３０は、全部折曲形で設けられていてもよい。または、上記縦方向緊張材３０は上記部品部材１０の構造及び性格に応じて、直線形で設けられる直線形の縦方向緊張材３１及び上記緊張材の折曲部形成装置５００によって上記折曲部が形成される折曲形の縦方向緊張材３２から構成されていてもよい。
【００４４】
このように、上記横方向緊張材２０、上記直線形の縦方向緊張材３１、上記折曲形の縦方向緊張材３２が共に配置される構造を有する場合、図１に示されるように、横方向緊張材２０は部品部材１０の上側に設けられ、直線形の縦方向緊張材３１は上記部品部材１０の下側に設けられることによって、上記横方向緊張材２０と縦方向緊張材３０との相互干渉を防止するという側面及び構造力学的側面から好ましい。
【００４５】
また、上記撓み応力が最も大きく発生する部品部材１０の地点は、縦方向の中央部下側であるので、この部分に直線形の縦方向緊張材３１を配置し、集中補強することが好ましい。
【００４６】
さらに、上記直線形の縦方向緊張材３１の場合と同様の理由により、上記折曲形の縦方向緊張材３２の中央部は上記部品部材１０の下側に配置するようになる。そして、上記折曲形の縦方向緊張材３２の両端部は上記部品部材１０の縦方向両端部に向かって上向き傾斜するように設けられるようにし、上記折曲形の縦方向緊張材３２が全体的に「Ｕ」字状の構造を持たせることが構造力学的側面から有利である。
【００４７】
そして、上記支持台２００と型枠１００と間には余裕空間による作業空間部１１０が形成されるようにすることが、上記型枠１００の組立または解体作業を容易に行えるようにする側面から好ましい。
【００４８】
図３は、本発明に係る双方向のプレストレッシングシステムによって製造された部品部材１０の一実施例であり、箱桁１０ａの場合を示した図である。
【００４９】
図３に示されるように、上記箱桁１０ａは横方向緊張材２０、直線形の縦方向緊張材３１、折曲形の縦方向緊張材３２が共に配置される構造を有している。
【００５０】
特に、上記横方向緊張材２０は箱桁１０ａの上板部１１ａに設けられ、上記直線形の縦方向緊張材３１は箱桁１０ａの下板部１２ａに設けられ、上記折曲形の縦方向緊張材３２は箱桁１０ａの側板部１３ａに設けられる。
【００５１】
また、上記折曲形の縦方向緊張材３２の中央部は箱桁１０ａ側板部１３ａの下側に設けられ、折曲形の縦方向緊張材３２の両端部は箱桁１０ａ側板部１３ａの両端部に向かって上向き傾斜を持つように設けられる。
【００５２】
このような構成を有した場合の作用効果は、図１、２を参照して説明したものと同様である。
【００５３】
以下、図４〜図１２を参照し、本発明に係る双方向のプレストレッシングシステムを構成する緊張材の折曲部形成装置５００の好ましい実施例を説明する。
【００５４】
上記緊張材の折曲部形成装置５００は、型枠１００の外側に設けられた支持台２００に設けられたベース部５１０と、上記支持台２００と型枠１００と間に配置するように上記ベース部５１０に設けられた本体部５２０と、上記本体部５２０に設けられ、上記縦方向緊張材３０に折曲部が形成されるように上記型枠１００を貫通し、上記縦方向緊張材３０を支持する緊張材支持部５３０と、で構成されていてもよい。
【００５５】
上記緊張材の折曲部形成装置５００、特に上記緊張材支持部５３０は上記型枠１００に形成された貫通孔１０１を介して上記型枠１００を貫通する。ここで、上記型枠１００の貫通孔１０１と緊張材の折曲部形成装置５００と間の孔隙から、上記型枠１００に打設されたコンクリートが漏洩されることを防ぐために、ゴムパッキングなどの充填材で充填されていてもよい。
【００５６】
上記緊張材支持部５３０は、上記型枠１００に対するコンクリート打設及び養生後、コンクリート養生が完了された部品部材１０から離脱させることが困難になるので、本体部５２０から容易に離脱可能な構造を持たせることによって、上記部品部材１０に埋設され、その部品部材１０と一体構造を形成することができる。
【００５７】
上記緊張材支持部５３０が上記型枠１００内部に設けられる位置は、上記折曲形の縦方向緊張材３２の折曲部形成地点を決定する役割を果たすが、このような折曲部形成地点は施工条件上、現場状況に応じて変わる。
【００５８】
従って、上記本体部５２０と緊張材支持部５３０は縦方向回転用ヒンジ部５２１によって結合される構造を有することによって、上記緊張材支持部５３０が上記本体部５２０に対して縦方向回転駆動が可能にし、変動する折曲部形成地点に適宜に対応できるようにすることが好ましい。
【００５９】
このような理由から、上記本体部５２０と緊張材支持部５３０は横方向回転用ヒンジ部５２２によって結合される構造を有することによって、上記緊張材支持部５３０が上記本体部５２０に対して、横方向回転駆動が可能にすることができる。
【００６０】
さらに、上記本体部５２０とベース部５１０が本体部回転用ヒンジ部５２３によって結合される構造を有する場合、上記本体部５２０が上記ベース部５１０に対して縦方向回転駆動が可能であるので、上記折曲形の縦方向緊張材３２の折曲部形成作業を、さらに容易、且つ的確に行える効果が得られる。
【００６１】
一方、このように、本体部５２０自体がベース部５１０に対して、回転駆動するようにする構造を有する場合、コンクリート打設直前、緊張材の折曲部形成装置５００の位置固定が問題となりうる。従って、これを解消するために、図７に示されるように、上記本体部５２０の横方向回転駆動を制限できるように、上記本体部５２０と上記支持台２００と間に設けられ、上記本体部回転用ヒンジ部５２３によって回転駆動する本体部５２０を所定位置で固定する着脱式補助支持部材５４０が含まれていてもよい。
【００６２】
以下、図５〜図１２を参照し、上記緊張材支持部５３０をさらに詳細に説明する。
【００６３】
上記緊張材支持部５３０は縦方向緊張材３０が折り曲げられるように支持する構造であれば、制限なく、図５以降では、上記緊張材支持部５３０部に上記縦方向緊張材３０が貫通する緊張材貫通孔３０ａが形成される実施例を図示している。
【００６４】
この場合、上記縦方向緊張材３０と緊張材貫通孔３０ａとの接触による上記縦方向緊張材３０の破断などを防止するために、図６に示されるように、上記緊張材貫通孔３０ａは上記緊張材貫通孔３０ａと接触する部分３０ａ’が、その反対部分に向かって （図６の矢印のＨ方向）湾曲した構造を有することが、さらに好ましい。即ち、図６の図示によると、上記緊張材貫通孔３０ａは上側部が下側に向かって湾曲する。
【００６５】
このような緊張材支持部５３０は、一体型構造を有していてもよく、組立式構造を有していてもよいので、図８〜１２では後者の実施例として、上記本体部５２０と結合される複数の支持部材５３１と上記複数の支持部材５３１と間に結合され、上記湾曲した構造の緊張材貫通孔３０ａを形成する湾曲した溝部形成部材５３２と、を含む。
【００６６】
この場合、図１０、１１に示されるような複数の支持部材５３１を平行に配置し、その間に、図１２に示されるような湾曲した溝部形成部材５３２を取り付けた後、ボルトなどで上記複数の支持部材５３１に上記湾曲した溝部形成部材５３２を固定することができる。上記複数の支持部材５３１と上記湾曲した溝部形成部材５３２にはそれぞれ、上記ボルトなどが締結される締孔５３１ａ、５３２ａが形成されていてもよい。
【００６７】
上記複数の縦方向緊張材３０を折り曲げる場合、上記緊張材支持部５３０には上記折り曲げられる複数の縦方向緊張材３０の数だけの緊張材貫通孔３０ａが形成されることが必要である。
【００６８】
これは、図８に示されるように、湾曲した溝部形成部材５３２を複数の支持部材５３１間に上記支持部材５３１の長手方向（矢印５３１’）に複数取り付けることによって具現できる。
【００６９】
また、複数の支持部材５３１が横方向に平行に取り付けられる場合、湾曲した溝部形成部材５３２が複数の支持部材５３１間に形成される複数の空間部にそれぞれ取り付けられた構造を有していてもよい。
【図面の簡単な説明】
【００７０】
【図１】本発明の双方向のプレストレッシングシステムによって製造された部材の斜視図である。
【図２】本発明の双方向のプレストレッシングシステムの一実施例の斜視図である。
【図３】本発明の双方向のプレストレッシングシステムにより製造された箱桁の斜視図である。
【図４】本発明による緊張材の折曲部形成装置の装着構造の断面図である。
【図５】本発明の緊張材の折曲部形成装置の斜視図である。
【図６】本発明の緊張材の折曲部形成装置の正面図である。
【図７】本発明の緊張材の折曲部形成装置の側面図である。
【図８】図７の主要部拡大図である。
【図９】本発明の緊張材支持部の斜視図である。
【図１０】本発明に係る支持部材の正面図である。
【図１１】本発明に係る支持部材の側面図である。
【図１２】本発明に係る湾曲した溝部形成部材の斜視図である。
【符号の説明】
【００７１】
１０：部品部材、１０ａ：箱桁、１１ａ：箱桁の上板部、１２ａ：箱桁の下板部、１３ａ：箱桁の側板部、２０：横方向緊張材、３０：縦方向緊張材、３０ａ：緊張材貫通孔、３１：直線形の縦方向緊張材、３２：折曲形の縦方向緊張材、１００：型枠、１００ａ：コンクリート打設空間、１０１：貫通孔、１１０：作業空間部、２００：支持台、３００：横方向緊張材の定着装置、４００：縦方向緊張材の定着装置、５００：緊張材の折曲部形成装置、５１０：ベース部、５２０：本体部、５２１：縦方向回転用ヒンジ部、５２２：横方向回転用ヒンジ部、５３０：緊張材支持部、５３１：支持部材、５３２：溝部形成部材、５４０：着脱式補助支持部材。
【図１】
2008303702.tif 000003
【図２】
2008303702.tif 000004
【図３】
2008303702.tif 000005
【図４】
2008303702.tif 000006
【図５】
2008303702.tif 000007
【図６】
2008303702.tif 000008
【図７】
2008303702.tif 000009
【図８】
2008303702.tif 000010
【図９】
2008303702.tif 000011
【図１０】
2008303702.tif 000012
【図１１】
2008303702.tif 000013
【図１２】
2008303702.tif 000014